(57)【要約】  レンズ手入れ用液剤を、ポリ(エチレンテレフタレート)で製造した容器で包装することからなる、レンズ手入れ用液剤の殺生物効力及び製品安定性を強化する方法。
2007513654.tif 000002
【特許請求の範囲】
【請求項１】
ポリ(エチレンテレフタレート)製容器で包装された、一種又は二種以上の界面活性剤及び一種又は二種以上の抗菌剤を含有するコンタクトレンズ手入れ用組成物。
【請求項２】
前記一種又は二種以上の界面活性剤が、Pluronic P123(商標)、 Pluronic L42(商標)、 Pluronic L62(商標)、 Pluronic L72(商標)、Pluronic L92(商標)、Pluronic P103(商標)、Pluronic R12R3(商標)、Pluronic R17R1(商標)、Pluronic R17R2(商標)、Pluronic R31R1(商標)、Pluronic R31R2(商標)、Pluronic R31R4(商標)、Tetronic 701(商標)、Tetronic 702(商標)、Tetronic 901(商標)、Tetronic 1101(商標)、Tetronic 1102(商標)、Tetronic 1301(商標)、Tetronic 1302(商標)、Tetronic 1501(商標)、Tetronic 1502(商標)、Tetronic R50R1(商標)、Tetronic R50R4(商標)、Tetronic R70R1(商標)、Tetronic R70R2(商標)、Tetronic R70R4(商標)、Tetronic R90R1(商標)、Tetronic R90R4(商標)、Tetronic R110R1(商標)、Tetronic R110R2(商標)、Tetronic R110R7(商標)、Tetronic R130R1(商標)、Tetronic R130R2(商標)、Tetronic R150R1(商標)、Tetronic R150R4(商標)及びTetronic R150R8(商標)からなる群から選択される請求項1に記載の組成物。
【請求項３】
緩衝剤、キレート化剤、浸透圧モル濃度調節剤及びHLBが18以上の界面活性剤からなる群から選択される少なくとも一種の成分を、さらに含有する請求項1に記載の組成物。
【請求項４】
前記一種又は二種以上の抗菌剤が、コンタクトレンズを消毒するのに有効な量で存在している請求項1に記載の組成物。
【請求項５】
約0.1-約6.0質量%の前記界面活性剤及び約0.05-約0.5質量%の前記抗菌剤を含有する請求項1に記載の組成物。
【請求項６】
キレート化剤、並びにホウ酸塩緩衝剤、リン酸塩緩衝剤及びクエン酸塩緩衝剤からなる群から選択される緩衝剤を、さらに含有する請求項1に記載の組成物。
【請求項７】
HLB値が18以上のポロキサマー及びポロキサミンの界面活性剤からなる群から選択される少なくとも一種の成分を含有する請求項6に記載の組成物。
【請求項８】
一種又は二種以上の界面活性剤及び一種又は二種以上の抗菌剤を含有するレンズ手入れ用液剤を、ポリ(エチレンテレフタレート)製の容器で包装することを含んでなる、レンズ手入れ用液剤の殺生物効力を強化する方法。
【請求項９】
一種又は二種以上の界面活性剤及び一種又は二種以上の抗菌剤を含有するレンズ手入れ用液剤を、ポリ(エチレンテレフタレート)製の容器で包装することを含んでなる、レンズ手入れ用液剤の安定性を強化する方法。
【請求項１０】
一種又は二種以上の界面活性剤及び一種又は二種以上の抗菌剤を含有するレンズ手入れ用液剤を、ポリ(エチレンテレフタレート)製の容器で包装することを含んでなる、レンズ手入れ用液剤の有効期限を延長する方法。
【請求項１１】
液剤が、緩衝剤、キレート化剤、浸透圧モル濃度調節剤及びHLB値が18以上である界面活性剤からなる群から選択される少なくとも一種の成分を、さらに含有する請求項8、9又は10に記載の方法。
【請求項１２】
液剤が、コンタクトレンズを消毒するのに有効な量の抗菌剤を、さらに含有する請求項8、9又は10に記載の方法。
【請求項１３】
液剤が、前記抗菌剤を約0.05-約０.５質量%含有する請求項8、9又は10に記載の方法。
【請求項１４】
液剤が、キレート化剤、並びにホウ酸塩緩衝剤、リン酸塩緩衝剤及びクエン酸塩緩衝剤からなる群から選択される緩衝剤を、さらに含有する請求項8、9又は10に記載の方法。
【請求項１５】
組成物が、HLB値が18以上の界面活性剤を、さらに含有する請求項8，9又は10に記載の方法。
【請求項１６】
液剤が、HLB値が18以上のポロキサマー及びポロキサミンの界面活性剤からなる群から選択される少なくとも一種の成分を含有する請求項8、9又は10に記載の方法。
【請求項１７】
前記一種又は二種以上の界面活性剤が、Pluronic P123(商標)、 Pluronic L42(商標)、 Pluronic L62(商標)、 Pluronic L72(商標)、Pluronic L92(商標)、Pluronic P103(商標)、Pluronic R12R3(商標)、Pluronic R17R1(商標)、Pluronic R17R2(商標)、Pluronic R31R1(商標)、Pluronic R31R2(商標)、Pluronic R31R4(商標)、Tetronic 701(商標)、Tetronic 702(商標)、Tetronic 901(商標)、Tetronic 1101(商標)、Tetronic 1102(商標)、Tetronic 1301(商標)、Tetronic 1302(商標)、Tetronic 1501(商標)、Tetronic 1502(商標)、Tetronic R50R1(商標)、Tetronic R50R4(商標)、Tetronic R70R1(商標)、Tetronic R70R2(商標)、Tetronic R70R4(商標)、Tetronic R90R1(商標)、Tetronic R90R4(商標)、Tetronic R110R1(商標)、Tetronic R110R2(商標)、Tetronic R110R7(商標)、Tetronic R130R1(商標)、Tetronic R130R2(商標)、Tetronic R150R1(商標)、Tetronic R150R4(商標)及びTetronic R150R8(商標)からなる群から選択される請求項8、9又は10に記載の方法。
【発明の詳細な説明】
【技術分野】
【０００１】
本発明は、コンタクトレンズを洗浄・消毒するのに有効な組成物の安定性強化に関する。より具体的に述べると、本発明は、抗菌剤を含有する組成物で製造された、コンタクトレンズを洗浄・消毒するためのレンズ手入れ用液剤、及び液剤の安定性を強化しかつ液剤の有効期限を延長するための包装容器の使用に関する。
【背景技術】
【０００２】
従来、コンタクトレンズは、非吸水性コンタクトレンズと吸水性コンタクトレンズ及びハードコンタクトレンズとソフトコンタクトレンズに分類されてきた。ハードコンタクトレンズとソフトコンタクトレンズは、ともにこれを眼に着用している間に、タンパク質及び/又は脂質の堆積物又は汚れを生成する。かような汚れは、着用中のレンズの快適性を損ない又はぼやけた視力もしくは角膜の充血などの眼の問題を起こす。したがって、コンタクトレンズを毎日安全かつ快適に使用するためには、コンタクトレンズに洗浄処理を施すことが不可欠である。
【０００３】
コンタクトレンズを有効に洗浄するには、一種以上の汚れを洗浄又は除去する作用を有する、コンタクトレンズ洗浄用に配合された液剤が通常使用される。コンタクトレンズ洗浄用に配合された液剤は、洗浄成分として有効な界面活性剤を含有している。例えば、ポリオキシエチレン-ポリオキシプロピレン・ブロックコポリマー又はその誘導体のようなポリオキシアルキレン・ブロックコポリマーなどの非イオン性界面活性剤を含有するコンタクトレンズ洗浄用液剤が知られている。
【０００４】
コンタクトレンズ手入れ用液剤は、通常、コンタクトレンズを消毒するため又は液剤を保存するため抗菌剤も含有している。抗菌剤は、製品すなわち液剤の有効期限を通じて殺生物効力を確保するレベルで、液剤中に存在している。
【０００５】
コンタクトレンズ手入れ用液剤を包装する際は、高密度ポリエチレン(HDPE)びんを使うことが標準である。HDPEびんの樹脂は、抗酸化剤、可塑剤、難燃剤などの多種類の添加剤を含有している。HDPEびん樹脂の添加剤は、そのびんの表面に移行又は「ブルーム」してレンズ手入れ用液剤の成分と相互作用する可能性がある。HDPE樹脂添加剤のこの「ブルーミング」現象は、レンズ手入れ用液剤中の洗浄成分として有効であることが分かっているような界面活性剤が存在していることによって、通常、悪化する。
【発明の開示】
【発明が解決しようとする課題】
【０００６】
したがって、包装容器の表面に移行又はブルームする傾向がある多種類の添加剤を含有していない、レンズ手入れ用液剤を包装する材料が要望されている。
【課題を解決するための手段】
【０００７】
本発明は、界面活性剤と抗菌剤を含有するレンズ手入れ用液剤を包装するのに有効なポリ(エチレンテレンフタレート)(PET)樹脂製透明びんの形態の包装容器を提供する。PETのびんで包装されたかようなレンズ手入れ液剤には、化学的安定性と消毒効力の予想外に大きい改善が観察されたのである。
【０００８】
本発明の別の側面としては、前記液剤をPET樹脂製容器で包装することからなるレンズ手入れ液剤の抗菌効力を強化する方法がある。
【０００９】
本発明の別の方法は、レンズ手入れ用液剤をPET樹脂製容器で包装することによって、前記液剤の安定性を強化してその有効期間を延長する方法である。
【発明を実施するための最良の形態】
【００１０】
本発明は、ポリ(エチレンテレンフタレート)(PET)樹脂製透明びんの形態のレンズ手入れ用液剤の包装容器を提供する。一種又は二種以上の洗浄用界面活性剤と一種又は二種以上の抗菌剤を含有するコンタクトレンズ手入れ用液剤は、予想外のことには、例えば限定されないがPET樹脂製びんなどの容器で包装されると化学的安定性と殺生物効力が強化されることが発見されたのである。
【００１１】
PET製容器で包装されると特性を強化されることを発見された組成物は水溶液である。このような組成物は、一種又は二種以上の非イオン性ポリエーテル界面活性剤を含有していてもよい。本発明の組成物に使うのに適切な非イオン性ポリエーテル界面活性剤としては、例えば限定されないが下記のものがある。すなわち、親水性親油性比(HLB)が8のPluronic P123(商標)(BASF、米国ニュージャージー州マウントオリーブ所在)、HLBが8のPluronic L42(商標)(BASF)、HLBが７のPluronic L62(商標)(BASF)、HLBが7のPluronic L72(商標)(BASF)、HLBが6のPluronic L92(商標)(BASF)、HLBが9のPluronic P103(商標)(BASF)、HLBが7のPluronic R12R3(商標)(BASF)、HLBが3のPluronic R17R1(商標)(BASF)、HLBが6のPluronic R17R2(商標)(BASF)、HLBが1のPluronic R31R1(商標)(BASF)、HLBが2のPluronic R31R2(商標)(BASF)、HLBが7のPluronic R31R4(商標)(BASF)、HLBが3のTetronic 701(商標)(BASF)、HLBが7のTetronic 702(商標)(BASF)、HLBが3のTetronic 901(商標)(BASF)、HLBが2のTetronic 1101(商標)(BASF)、HLBが6のTetronic 1102(商標)(BASF)、HLBが2のTetronic 1301(商標)(BASF)、HLBが6のTetronic 1302(商標)(BASF)、HLBが1のTetronic 1501(商標)(BASF)、HLBが5のTetronic 1502(商標)(BASF)、HLBが3のTetronic R50R1(商標)(BASF)、HLBが9のTetronic R50R4(商標)(BASF)、HLBが3のTetronic R70R1(商標)(BASF)、HLBが5のTetronic R70R2(商標)(BASF)、HLBが8のTetronic R70R4(商標)(BASF)、HLBが2のTetronic R90R1(商標)(BASF)、HLBが7のTetronic R90R4(商標)(BASF)、HLBが2のTetronic R110R1(商標)(BASF)、HLBが4のTetronic R110R2(商標)(BASF)、HLBが10のTetronic R110R7(商標)(BASF)、HLBが1のTetronic R130R1(商標)(BASF)、HLBが3のTetronic R130R2(商標)(BASF)、HLBが1のTetronic R150R1(商標)(BASF)、HLBが５のTetronic R150R4(商標)(BASF)及びHLBが11のTetronic R150R8(商標)(BASF)がある。このような非イオン性ポリエーテル界面活性剤は、洗浄効力を得るため、本発明の組成物中に、好ましくは約0.1-約6.0質量%、より好ましくは約0.2-約5.0質量%の範囲内の量で利用される。
【００１２】
PET製容器で包装されると、特性を強化されることが発見された組成物は、少なくとも一種の抗菌剤を含有している。適切な抗菌剤としては、例えば7個以上の炭素原子を含有するアルキル連鎖などのかなり大きい疎水性部分を含有していない第四級アンモニウム塩類がある。本発明で使用するのに適切な第四級アンモニウム塩としては、例えば限定されないが、ポリ[(ジメチルイミニオ)-2-ブテン-1,4-ジイルクロリド]及び[4-トリス(2-ヒドロキシエチル)アンモニオ]-2-ブテニル-ω-[トリス(2-ヒドロキシエチル)アンモニオ]ジクロリド(ケミカルアブストラクツ登録番号 75345-27-6；一般にPolyquaternium 1(Onyx Corporation,米国バーモント州モントピーリア所在)として入手できる)がある。例えば、1,1'-ヘキサメチレン-ビス[5-(2-エチルヘキシル)ビグアニド](アレキシジン)及び米国デラウェア州ウイルミントン所在のICI Americas,Inc.から商品名Cosmocil CQで入手できるポリ(ヘキサメチレンビグアニド)(PHMB)などのビグアニド類とその塩類、塩化ベンザルコニウム(BAK)並びにソルビン酸も適している。
【００１３】
一種又は二種以上の抗菌剤が、レンズを浸漬して消毒する従来の液剤中に見られるように、コンタクトレンズを消毒するのに十分な量で、本発明の組成物中に存在している。その一種又は二種以上の抗菌剤は好ましくは、消毒量ですなわち約0.0001-約0.5w/v%の量で使用される。抗菌剤の消毒量は、採用される配合物中の微生物の数の少なくとも一部分を減らす量である。消毒量は、微生物の負荷量を、好ましくは4時間以内に１/100(two log orders)まで、より好ましくは1時間以内に1/10まで減らす量である。消毒量は、最も好ましくは、推薦される浸漬時間で行われる処置法(FDA Chemical Disinfection Efficacy Test‐July,1985 Contact Lens Solution Draft Guidelines)で使用されるとき、コンタクトレンズの微生物の負荷量を除く量である。通常かような薬剤は、約0.00001-約0.5w/v%の範囲内の濃度で存在し、より好ましくは約0.00003-約0.05質量%の範囲内の量で存在している。
【００１４】
PET製容器で包装されると特性が強化される組成物は、例えば限定されないが、一種又は二種以上のキレート化剤及び/又は金属イオン封鎖剤、一種又は二種以上の浸透圧モル濃度調節剤、一種又は二種以上の界面活性剤、一種又は二種以上の緩衝剤及び/又は湿潤剤を含む他の各種成分を含有していてもよい。
【００１５】
金属イオン封鎖剤と呼称されることもあるキレート化剤は、抗菌剤とともに利用されることが多い。この薬剤は、レンズ及び/又はタンパク質堆積物と別の方式で反応してレンズ上に集まる重金属イオンと結合する。キレート化剤は、当該技術分野でよく知られており、好ましいキレート化剤の例としては、エチレンヂアミン四酢酸(EDTA)とその塩類、特にEDTA二ナトリウムがある。かような薬剤は、通常、約0.01-約2.0質量%の量で利用され、より好ましくは約0.01-約0.3質量%の量で利用される。その外の適切な金属封鎖剤としては、例えば、グルコン酸、クエン酸、酒石酸及びその塩類、例えばナトリウム塩がある。
【００１６】
PET製容器で包装されると、特性が強化される組成物は、各種の浸透圧モル濃度で設計できるが、眼液に対してイソ-オスマル(iso-osmal)であることが好ましい。具体的に述べると、本発明の組成物は、浸透圧値が、約350mOsm/kgより小さく、より好ましくは約175-約330mOsm/kgであり、そして最も好ましくは約260-約310mOms/kgである。所望の最終浸透圧モル濃度を得るため、組成物に、一種以上の浸透圧モル濃度調節剤を利用してもよい。適切な浸透圧モル濃度調節剤としては、限定されないが、塩化ナトリウムと塩化カリウム、デキストロースなどの単糖類、塩化カルシウムと塩化マグネシウム及びグリセリンとプロピレングリコールなどの低分子量ポリオール類がある。これらの薬剤は、通常、約0.０1-5質量%の範囲内の量で、好ましくは約0.1-約2質量%の範囲内の量で、個々に使用される。
【００１７】
PET製容器で包装されると、特性が強化される組成物は、pHが眼に適合したpHであり、一般に、約6-約8の範囲内であり、より好ましくは6.5-7.8の範囲内でありそして最も好ましくは約7-7.5の範囲内である。所望のpH値を得るため、一種以上の通常の緩衝剤を利用してもよい。適切な緩衝剤としては、例えば限定されないが、ホウ酸及び/又はホウ酸ナトリウムに基づいたホウ酸塩緩衝剤；Na2HPO4、NaH2PO4及び/又はKH2PO4に基づいたリン酸塩緩衝剤；クエン酸カリウム及び/又はクエン酸に基づいたクエン酸塩緩衝剤；重炭酸ナトリウム；並びにこれらの混合物がある。緩衝剤は、一般に、約0.05-約2.5質量%の範囲内の量で使用され、好ましくは約0.1-約1.5質量%の範囲内の量で使用される。
【００１８】
かような組成物は、その組成物がコンタクトレンズの表面を湿潤しやすくするために湿潤剤を含有していてもよい。当該技術分野では、これらの物質を記述するために、通常、用語「保湿剤(humectant)」も使用される。第一のクラスの湿潤剤はポリマーの湿潤剤である。その例としては、例えば限定されないが、ポリビニルアルコール(PVA)、ポリビニルピロリドン(PVP)、セルロース誘導体及びポリエチレングリコールがある。セルロース誘導体とPVAは、組成物の粘度を増大するために使用することもでき、必要に応じてこの利点を提供できる。セルロース誘導体の具体例としては、例えば限定されないが、ヒドロキシプロピルメチルセルロース、カルボキシメチルセルロース、メチルセルロース、ヒドロキシエチルセルロース及びカチオン性セルロース誘導体がある。米国特許第6,274,133号に開示されているように、カチオン性セルロースポリマーも、脂質やタンパク質が、親水性レンズの表面上に蓄積するのを防止するのに役立つ。かようなポリマーとしては、CTFA(Cosmetic,Toiletry, and Fragrance Association)が命名したPolyquaternium-10(商品名UCARE（登録商標）Polymerで米国ニュージャージー州エジソン所在のAmerchol Corp.から入手できるカチオン性セルロースポリマーを含む)で入手できる市販の水溶性ポリマーがある。一般に、これらのカチオン性セルロースポリマーは、そのセルロースポリマーの連鎖にそって、四級化N,N-ジメチルアミノ基を含んでいる。
【００１９】
別の適切なクラスの湿潤剤は非ポリマーの湿潤剤である。その例としては、グリセリン、プロピレングリコール及び他の非ポリマーのジオール類とグリコール類がある。
【００２０】
本発明で使用される湿潤剤の具体的な量は、用途によって変化する。しかし、湿潤剤は、通常、約0.01-約5質量%の量で含有され、好ましくは約0.1-約2質量%の量で含有されている。
【００２１】
組成物のいくつかの成分は、2種以上の機能特性を有すると解される。例えば、セルロース誘導体は、適切なポリマー湿潤剤であるが、必要に応じて、組成物の粘度を増大させる「増粘剤」とも呼称されている。グリセリンは、適切な非ポリマー湿潤剤であるが、張性を調節する働きもする。
【００２２】
PET製容器で包装されると特性が強化されることが発見された組成物は、カチオン性、アニオン性又は両性でもよい眼に許容できる少なくとも一種の界面活性剤を含有していてもよい。好ましい界面活性剤は、両性又は非イオン性の界面活性剤である。その界面活性剤は、前記水性液剤に可溶性でかつ眼の組織に対して非刺激性でなければならない。この界面活性剤は、主として、コンタクトレンズ上の非タンパク質系物質を除去しやすくする働きをする。
【００２３】
多くの非イオン性界面活性剤は、オキシアルキレン(-O-R-)繰返し単位(式中、Rは2-6個の炭素原子である)を有する一つ以上の連鎖又はポリマーの成分を含有している。代表的な非イオン性界面活性剤は、2種類以上のオキシアルキレン繰返し単位のブロックポリマーを含有し、異なる繰返し単位の比率によってその界面活性剤のHLBが決定される。適切であることが分かった界面活性剤の典型的なHLB値は、18以上の範囲内にある。かようなポロキサマーの例は、商品名Pluronic(BASF)で入手できる ポリオキシエチレン、ポリオキシプロピレンのブロックコポリマーである。ポロキサミンは、前記ポリオキシエチレン、ポリオキシプロピレンのブロックコポリマーのエチレンジアミン付加物であり、商品名Tetronic(BASF)で入手することができ、例えば、前記付加物の少なくとも40質量%がHLB値24のポリ(オキシエチレン)である、分子量が約7,500-約27,000のポロキサミン1107(Tetronic 1107)がある。他の適切な非イオン性界面活性剤としては、例えば限定されないが脂肪酸(例えばココナッツ)のポリエチレングリコールエステル類、ポリソルベート、高級アルカン類(C12-C18)のポリオキシエチレン又はポリオキシプロピレンのエーテル類、商品名Tween（登録商標）20(ICI Americas,Inc.,米国デラウェア州ウイルミントン所在)で入手できるポリソルベート20、商品名Brij（登録商標）35(ICI Americas,Inc.)で入手できるポリオキシエチレン(23)ラウリルエーテル、商品名Myrj（登録商標）52(ICI Americas,Inc.)で入手できるポリオキシエチレン(40)ステアレート及び商品名Atlas（登録商標）G 2612(ICI Americas,Inc.)で入手できるポリオキシエチレン(25)プロピレングリコールステアレートがある。
【００２４】
別の有用なクラスの界面活性剤は、米国特許第5,858,937号(Richardsら)に開示されているようなホスホン酸ヒドロキシアルキル類であり、これは、商品名Dequest（登録商標）(Monsant Co.,米国ミズーリ州セントルイス所在)で入手できる。
【００２５】
かような組成物に使用するのに適切な両性界面活性剤としては、商品名Miranol(商標)(Noveon,Inc.,米国オハイオ州クリーブランド所在)で市販されているタイプの物質がある。別の有用なクラスの両性界面活性剤の例としては、各種の供給源から市販されているココアミドプロピルベタインがある。
【００２６】
本発明で使用するのに適切な両性及びアニオン性の界面活性剤のみならず各種の他のイオン性界面活性剤は、上記説明から見て、McCutcheon's Detergents and Emulsifiers,North American Edition,McCutcheon Division,MC Publishing Co.,Glen Rock,NJ 07452及びthe CTFA International Cosmetic Ingredient Handbook,Published by the Cosmetic,Toiletry,and Fragrance Association,Washington,D.C.から容易に確認できる。
【００２７】
これら界面活性剤は、含有されている場合、合計量が、好ましくは約0.01-約15質量％で、より好ましくは約0.1-約9.0質量％で、最も好ましくは約0.1-約7.0質量%で使用される。
【００２８】
本発明の例示として、いくつかの実施例を以下に提供する。これらの実施例は、本発明の側面をさらに例示するのに有用なだけであり本発明を限定するとみなすべきではない。
【実施例】
【００２９】
実施例1−試験液剤の調製
試験用の試料液剤を、下記表1に記載した配合によって調製した。
【表１】
2007513654.tif 000003
【００３０】
実施例2−試験液剤1の安定性
120mlずつの試験液剤1を、3個の4オンスPET 7352製容器及び3個の4オンスMarlex 5502BN HDPE製容器それぞれに入れて、40℃で保管した。試験開始時と6ヶ月間各月にデータを集めた。集めたデータを下記表2に記載し図1に示す。
【００３１】
【表２】
2007513654.tif 000004
【００３２】
実施例3−試験液剤2の安定性
120mlずつの試験液剤2を、3個の4オンスPET 7352製容器及び3個の4オンスMarlex 5502BN HDPE製容器それぞれに入れて、40℃で保管した。試験開始時と6ヶ月間各月にデータを集めた。集めたデータを下記表3に記載し図2に示す。
【００３３】
【表３】
2007513654.tif 000005
【００３４】
実施例4−試験液剤1のISO独立型殺生物効力(ISO Stand-Alone Biocidal Efficacy)
10%の有機質土壌を使うISO独立型殺生物効力の試験を、試験液剤1を使用して行った。この場合、試験液剤1は、スタヒロコッカス・アウレウス(Staphylococcus aureus )ATCC 6538(細菌)及びフザリウム・ソラニ(Fusarium solani)ATCC 36031(糸状菌)に対して行った。ISO独立型殺生物効力の試験の結果を下記表4に記載し、図3に示す。
【００３５】
【表４】
2007513654.tif 000006
【００３６】
実施例５−試験液剤2のISO独立型殺生物効力(ISO Stand-Alone Biocidal Efficacy)
10%の有機質土壌を使うISO独立型殺生物効力の試験を、試験液剤2を使用して行った。この場合、試験液剤2は、カンジダ・アルビカンス(Candida albicans) (糸状菌)に対して行った。ISO独立型殺生物効力の試験の結果を下記表５に記載し、図４に示す。
【００３７】
【表５】
2007513654.tif 000007
【００３８】
上記試験からの知見に基づいて、本発明は、レンズ手入れ用液剤をPET樹脂製容器で包装することからなるレンズ手入れ用液剤の抗菌効力を強化する方法を含んでいる。
【００３９】
本発明の別の方法は、レンズ手入れ用液剤をPET樹脂製の容器で包装することによって、その安定性を強化して製品の有効期限を延長することを含んでいる。
【００４０】
本明細書に記載されているような、PET樹脂製容器で包装されているレンズ手入れ用液剤として有効な組成物は、コンタクトレンズ手入れの分野で一般的な方法で包装し、滅菌し次いで使用することができる。
【００４１】
各種の好ましい実施態様を説明してきたが、当業者は、本発明の多くの他の変形と変更を行うことができる。したがって、特許請求の範囲の範囲内で、本発明は、本願に具体的に記載されていないことを実施できると解される。
【図面の簡単な説明】
【００４２】
【図１】PETによる包装とHDPEによる包装の場合の試験液剤1の抗菌剤の安定性を示すグラフである。
【図２】PETによる包装とHDPEによる包装の場合の試験液剤2の抗菌剤の安定性を示すグラフである。
【図３】PETによる包装とHDPEによる包装の場合の試験液剤1のフザリウム・ソラニに対する殺生物効力を示す棒グラフである。
【図４】PETによる包装とHDPEによる包装の場合の試験液剤2のカンジダ・アルビカンスに対する殺生物効力を示す棒グラフである。
【図１】
2007513654.tif 000008
【図２】
2007513654.tif 000009
【図３】
2007513654.tif 000010
【図４】
2007513654.tif 000011
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
ポリエチレンテレフタレート製容器で包装された、一種又は二種以上の界面活性剤及びビグアニドの抗菌剤を含有するコンタクトレンズ手入れ用組成物。
【請求項２】
前記一種又は二種以上の界面活性剤が、ポロキサマー403、ポロキサマー122、ポロキサマー182、ポロキサマー212、ポロキサマー282、ポロキサマー333、メロキサポール123、メロキサポール171、メロキサポール172、メロキサポール311、メロキサポール312、メロキサポール314、ポロキサミン701、ポロキサミン702、ポロキサミン901、ポロキサミン1101、ポロキサミン1102、ポロキサミン1301、ポロキサミン1302、ポロキサミン1501、ポロキサミン1502、リバース・ポロキサミン501、リバース・ポロキサミン504、リバース・ポロキサミン701、Tetronic R50R1(商標)、Tetronic R50R4(商標)、Tetronic R70R1(商標)、Tetronic R70R2(商標)、Tetronic R70R4(商標)、Tetronic R90R1(商標)、Tetronic R90R4(商標)、Tetronic R110R1(商標)、Tetronic R110R2(商標)、Tetronic R110R7(商標)、Tetronic R130R1(商標)、Tetronic R130R2(商標)、Tetronic R150R1(商標)、Tetronic R150R4(商標)及びTetronic R150R8(商標)からなる群から選択される請求項1に記載の組成物。
【請求項３】
緩衝剤、キレート化剤、浸透圧モル濃度調節剤及びHLBが18以上の界面活性剤からなる群から選択される少なくとも一種の成分を、さらに含有する請求項1に記載の組成物。
【請求項４】
前記一種又は二種以上の抗菌剤が、コンタクトレンズを消毒するのに有効な量で存在している請求項1に記載の組成物。
【請求項５】
約0.1-約6.0質量%の前記界面活性剤及び約0.05-約0.5質量%の前記抗菌剤を含有する請求項1に記載の組成物。
【請求項６】
キレート化剤、並びにホウ酸塩緩衝剤、リン酸塩緩衝剤及びクエン酸塩緩衝剤からなる群から選択される緩衝剤を、さらに含有する請求項1に記載の組成物。
【請求項７】
HLB値が18以上のポロキサマー及びポロキサミンの界面活性剤からなる群から選択される少なくとも一種の成分を含有する請求項6に記載の組成物。
【請求項８】
一種又は二種以上の界面活性剤及び一種又は二種以上のビグアニドの抗菌剤を含有するレンズ手入れ用液剤を、ポリエチレンテレフタレート製の容器で包装することを含んでなる、レンズ手入れ用液剤の殺生物効力を強化する方法。
【請求項９】
一種又は二種以上の界面活性剤及び一種又は二種以上のビグアニドの抗菌剤を含有するレンズ手入れ用液剤を、ポリエチレンテレフタレート製の容器で包装することを含んでなる、レンズ手入れ用液剤の安定性を強化する方法。
【請求項１０】
一種又は二種以上の界面活性剤及び一種又は二種以上のビグアニドの抗菌剤を含有するレンズ手入れ用液剤を、ポリエチレンテレフタレート製の容器で包装することを含んでなる、レンズ手入れ用液剤の有効期限を延長する方法。
【請求項１１】
液剤が、緩衝剤、キレート化剤、浸透圧モル濃度調節剤及びHLB値が18以上である界面活性剤からなる群から選択される少なくとも一種の成分を、さらに含有する請求項8、9又は10に記載の方法。
【請求項１２】
液剤が、コンタクトレンズを消毒するのに有効な量の抗菌剤を、さらに含有する請求項8、9又は10に記載の方法。
【請求項１３】
液剤が、前記抗菌剤を約0.05-約０.５質量%含有する請求項8、9又は10に記載の方法。
【請求項１４】
液剤が、キレート化剤、並びにホウ酸塩緩衝剤、リン酸塩緩衝剤及びクエン酸塩緩衝剤からなる群から選択される緩衝剤を、さらに含有する請求項8、9又は10に記載の方法。
【請求項１５】
組成物が、HLB値が18以上の界面活性剤を、さらに含有する請求項8、9又は10に記載の方法。
【請求項１６】
液剤が、HLB値が18以上のポロキサマー及びポロキサミンの界面活性剤からなる群から選択される少なくとも一種の成分を含有する請求項8、9又は10に記載の方法。
【請求項１７】
前記一種又は二種以上の界面活性剤が、Pluronic P123(商標)、 Pluronic L42(商標)、 Pluronic L62(商標)、 Pluronic L72(商標)、Pluronic L92(商標)、Pluronic P103(商標)、Pluronic R12R3(商標)、Pluronic R17R1(商標)、Pluronic R17R2(商標)、Pluronic R31R1(商標)、Pluronic R31R2(商標)、Pluronic R31R4(商標)、Tetronic 701(商標)、Tetronic 702(商標)、Tetronic 901(商標)、Tetronic 1101(商標)、Tetronic 1102(商標)、Tetronic 1301(商標)、Tetronic 1302(商標)、Tetronic 1501(商標)、Tetronic 1502(商標)、Tetronic R50R1(商標)、Tetronic R50R4(商標)、Tetronic R70R1(商標)、Tetronic R70R2(商標)、Tetronic R70R4(商標)、Tetronic R90R1(商標)、Tetronic R90R4(商標)、Tetronic R110R1(商標)、Tetronic R110R2(商標)、Tetronic R110R7(商標)、Tetronic R130R1(商標)、Tetronic R130R2(商標)、Tetronic R150R1(商標)、Tetronic R150R4(商標)及びTetronic R150R8(商標)からなる群から選択される請求項8、9又は10に記載の方法。
【国際調査報告】
2007513654.tif 000012
2007513654.tif 000013